(57)【特許請求の範囲】
【請求項１】
交流電源（１）から入力する交流を整流して直流に変換し、負荷（１０）に供給する整流回路（２）と、
前記負荷（１０）の入力側に接続され、前記負荷（１０）の入力端子間の電圧が蓄積電圧以下になったときに前記負荷（１０）の入力側に電力を供給する電力蓄積回路（３）と、
前記負荷（１０）から前記電力蓄積回路（３）に電力を帰還する電力帰還回路（５）と、
起動時に前記交流電源（１）または前記整流回路（２）から前記電力蓄積回路（３）に電力を供給する電力供給回路（４）と、
を備えたことを特徴とする直流電源装置。
【請求項２】
請求項１記載の直流電源装置において、
前記整流回路（２）が、前記交流電源（１）から入力する交流を全波整流するダイオードブリッジ（２）であり、
前記電力蓄積回路（３）が、前記ダイオードブリッジ（２）の正側端子（ａ）にカソードが接続された第１のダイオード（Ｄ１）と、該第１のダイオード（Ｄ１）のアノードに一端が接続され前記ダイオードブリッジ（２）の負側端子（ｂ）に他端が接続されたコンデンサ（Ｃ１）とからなり、
前記電力帰還回路（５）が、前記負荷（１０）から前記コンデンサ（Ｃ１）の端子間に電力を帰還する回路であり、
前記電力供給回路（４）が、前記ダイオードブリッジ（２）の正側端子（ａ）と前記第１のダイオード（Ｄ１）と前記コンデンサ（Ｃ１）との接続点との間に、前記正側端子（ａ）から前記接続点に電流を流す向きに接続した第２のダイオード（Ｄ２）と抵抗（Ｒ１）との直列回路である、
ことを特徴とする直流電源装置。
【請求項３】
請求項１記載の直流電源装置において、
前記整流回路（２）が、前記交流電源（１）から入力する交流を全波整流するダイオードブリッジ（２）であり、
前記電力蓄積回路（３）が、前記ダイオードブリッジ（２）の正側端子（ａ）にカソードが接続された第１のダイオード（Ｄ１）と、該第１のダイオード（Ｄ１）のアノードに一端が接続され前記ダイオードブリッジ（２）の負側端子（ｂ）に他端が接続されたコンデンサ（Ｃ１）とからなり、
前記電力帰還回路（５）が、前記負荷（１０）から前記コンデンサ（Ｃ１）の端子間に電力を帰還する回路であり、
前記電力供給回路（４）が、前記ダイオードブリッジ（２）の出力端子（ａ，ｂ）間に入力端子が接続され、出力電圧を前記コンデンサ（Ｃ１）の端子間に印加するシリーズレギュレータ（７）である、
ことを特徴とする直流電源装置。
【請求項４】
請求項１記載の直流電源装置において、
前記整流回路（２）が、前記交流電源（１）から入力する交流を全波整流するダイオードブリッジ（２）であり、
前記電力蓄積回路（３）が、前記ダイオードブリッジ（２）の正側端子（ａ）にカソードが接続された第１のダイオード（Ｄ１）と、該第１のダイオード（Ｄ１）のアノードに一端が接続され前記ダイオードブリッジ（２）の負側端子（ｂ）に他端が接続されたコンデンサ（Ｃ１）とからなり、
前記電力帰還回路（５）が、前記負荷（１０）から前記コンデンサ（Ｃ１）の端子間に電力を帰還する回路であり、
前記電力供給回路（４）が、前記ダイオードブリッジ（２）の一方の入力端子と前記第１のダイオード（Ｄ１）と前記コンデンサ（Ｃ１）との接続点との間に、前記一方の入力端子から前記接続点に電流を流す向きに接続した第２のダイオード（Ｄ２）と抵抗（Ｒ１）との直列回路である、
ことを特徴とする直流電源装置。
【請求項５】
請求項１記載の直流電源装置において、
前記整流回路（２）が、前記交流電源（１）から入力する交流を全波整流するダイオードブリッジ（２）であり、
前記電力蓄積回路（３）が、前記ダイオードブリッジ（２）の負側端子（ｂ）にアノードが接続された第１のダイオード（Ｄ１）と、該第１のダイオード（Ｄ１）のカソードに一端が接続され前記ダイオードブリッジ（２）の正側端子（ａ）に他端が接続されたコンデンサ（Ｃ１）とからなり、
前記電力帰還回路（５）が、前記負荷（１０）から前記コンデンサ（Ｃ１）の端子間に電力を帰還する回路であり、
前記電力供給回路（４）が、前記第１のダイオード（Ｄ１）と前記コンデンサ（Ｃ１）との接続点と前記ダイオードブリッジ（２）の負側端子（ｂ）との間に、前記接続点から前記負側端子（ｂ）に電流を流す向きに接続した第２のダイオード（Ｄ２）と抵抗（Ｒ１）との直列回路である、
ことを特徴とする直流電源装置。
【請求項６】
請求項１記載の直流電源装置において、
前記整流回路（２）が、前記交流電源（１）から入力する交流を全波整流するダイオードブリッジ（２）であり、
前記電力蓄積回路（３）が、前記ダイオードブリッジ（２）の負側端子（ｂ）にアノードが接続された第１のダイオード（Ｄ１）と、該第１のダイオード（Ｄ１）のカソードに一端が接続され前記ダイオードブリッジ（２）の正側端子（ａ）に他端が接続されたコンデンサ（Ｃ１）とからなり、
前記電力帰還回路（５）が、前記負荷（１０）から前記コンデンサ（Ｃ１）の端子間に電力を帰還する回路であり、
前記電力供給回路（４）が、前記ダイオードブリッジ（２）の出力端子（ａ，ｂ）間に入力端子が接続され、出力電圧を前記コンデンサ（Ｃ１）の端子間に印加するシリーズレギュレータ（７）である、
ことを特徴とする直流電源装置。
【請求項７】
前記抵抗（Ｒ１）が定電圧ダイオード又はバリスタである、請求項２、４、５のいずれか一項に記載の直流電源装置。
【発明の詳細な説明】
【０００１】
【発明が属する技術分野】
この発明は、各種電子機器の直流電源として用いられる直流電源装置に関し、より詳細には、その起動時の動作を改善するための回路を備えた直流電源装置に関する。
【０００２】
【従来の技術】
近年、電子機器の直流電源としてスイッチングレギュレータのような直流電源装置が多用されるようになってきた。
一般に、このような直流電源装置では、交流電源から入力する交流は、ダイオードブリッジにより全波整流され、平滑コンデンサにより平滑化される。ここで、ダイオードブリッジの整流出力のリップル成分を除去するために、平滑コンデンサとしては大容量の電解コンデンサが使用される。
【０００３】
そのために、平滑コンデンサに流入する電流のピーク値が大きくなり、無効電力が流れて力率が低下するとともに、平滑コンデンサの充放電電流による内部損失によってコンデンサが発熱して、その寿命を低下させる原因となっていた。
さらに、入力電力が大きいため、スイッチング周波数およびその高調波の発生によるノイズが大きくなり、そのことが、その直流電源装置ばかりでなく交流電源を共用する他の機器にも悪影響を及ぼすという問題があった。そのため、大容量のノイズフィルタ回路を付加するなどの対策が必要であった。
【０００４】
そこで、このような問題に対処するために、従来から負荷における電力の一部をその入力側に帰還させて蓄積するようにした電力帰還型の直流電源装置が使用されている。
そのような電力帰還型の直流電源装置としては、例えば、特開平４−２９５６６号公報、特開平５−１６８２４０号公報、特開昭５９−１４８５７７号公報、および特公昭５８−３６５８８号公報等に見られるようなものがある。
【０００５】
図９は、特公昭５８−３６５８８号公報に開示されている電力帰還型の直流電源装置の回路図である。この図において、交流電源１からの交流が整流回路であるダイオードブリッジ２の入力端子間に入力され、その出力端子ａ，ｂ間に整流された脈流が出力され、その直流電圧を負荷１０に供給する。
【０００６】
その負荷１０の入力側に、ダイオードブリッジ２の正側出力端子ａにカソードが接続されたダイオードＤ１と、そのダイオードＤ１のアノードに一端が接続され、ダイオードブリッジ２の負側出力端子ｂに他端が接続されたコンデンサ（電解コンデンサ）Ｃ１とからなる電力蓄積回路を接続している。
この電力蓄積回路は、負荷１０から電力を帰還して蓄積し、負荷１０の入力端子間の電圧がその蓄積電圧以下に低下したときに、負荷１０の入力側に電力を供給するために設けた回路である。
【０００７】
負荷１０はチョークトランス１１とＤＣ−ＤＣコンバータからなり、そのチョークトランス１１の一次巻線の一端が負荷１０の正側入力端子ｃとなり、ダイオードブリッジ２の正側出力端子ａと接続され、その他端はＤＣ−ＤＣコンバータを構成する高周波トランス１２の一次巻線の一端に接続されている。その一次巻線の他端は、スイッチングトランジスタ１３を介して、ダイオードブリッジ２の負側出力端子ｂが接続される負荷１０の負側入力端子ｄに接続される。
【０００８】
そして、スイッチングトランジスタ１３のオン・オフによってトランス１２の二次巻線に誘起される電圧をダイオードＤ１２で整流し、コンデンサＣ１２で平滑して、ＤＣ−ＤＣコンバータの出力端子ｇ，ｈ間に出力する。
その出力電圧を制御回路１４で検出し、その検出値に応じてスイッチングトランジスタ１３のオン・オフ時間比（デューティ）を制御して、出力端子ｇ，ｈ間に所定の出力電圧が得られるように制御する。
【０００９】
さらに、チョークトランス１１の二次巻線の一端を、電力蓄積回路のコンデンサＣ１とダイオードＤ１との接続点に導通する帰還端子ｆに接続し、他端をダイオードＤ１１のカソードに接続しており、そのダイオードＤ１１のアノードを負荷１０の負側入力端子ｄに接続して、コンデンサＣ１への電力帰還回路を形成している。
【００１０】
この構成において、スイッチングトランジスタ１３がオンのときにチョークトランス１１に蓄えられたエネルギーにより、スイッチングトランジスタ１３がオフの時にダイオードＤ１１を介してコンデンサＣ１に充電電流を流し、電力を帰還する。そして、ダイオードブリッジ２の出力電圧すなわち負荷１０の入力端子ｃ，ｄ間の電圧がコンデンサＣ１の蓄積電圧（充電電圧）以下になると、ダイオードＤ１が導通して、その蓄積電力を負荷１０に供給する。
【００１１】
このような電力帰還型の直流電源装置は、一般に図１０に示すように簡略化して表わすことができる。負荷１０はＤＣ−ＤＣコンバータに限らず、ドロッパ型のレギュレータ回路やチョッパ回路、あるいは単なる抵抗負荷などでもよい。
そして、電力蓄積回路を構成するコンデンサＣ１の両端子に導通する電力帰還端子ｆ−ｆ′間に負荷１０から電力の一部を帰還して蓄積し、負荷１０の入力側の電圧がその蓄積電圧より低くなったときに、ダイオードＤ１が導通して蓄積した電力を放出して負荷１０に供給することにより、ダイオードブリッジ２により全波整流された電流波形の谷間を浅くして平滑化し、力率の低下と高調波の発生とを防止することができる。
【００１２】
また、この電力蓄積回路は、ダイオードブリッジ２の出力電圧によって直接コンデンサＣ１に充電電流が流れない向きにダイオードＤ１が介挿されているので、交流電源１による電力印加開始時（図示しない電源スイッチのオン時）の突入電流を抑えることができ、ノイズの発生を防ぐことができる。
【００１３】
【発明が解決しようとする課題】
しかしながら、このような従来の電力帰還型の直流電源装置では、電源スイッチ投入後、まず負荷に存在する素子に電力を供給して立ち上げた後、その電力の一部を電力帰還回路のコンデンサにも供給してその帰還回路を立ち上げることになる。そのため、交流電源１から交流電力を投入して直流電源装置を起動したとき、電力蓄積回路が電力を蓄積して電源装置が安定状態になるまでに時間を要するという問題があった。
【００１４】
図１１の（ａ）は、図１０に示した電力帰還型の直流電源装置の起動時の負荷１０の出力側での電圧波形を示し、同図の（ｂ）は交流入力電流波形を示す。
この実験での出力電力は１２０Ｗであり、立ち上がりまでの所要時間は、約３．３秒であった。
また、（ａ）に見られるように、この電源装置が立ち上がるまでの３．３秒の期間に、出力電圧波形にサージ電圧が頻発しており、負荷側に接続される機器に悪影響を与える可能性がある。
【００１５】
この発明は上記の点に鑑みてなされたものであり、電力帰還型の直流電源装置において、交流電源を投入してから負荷に安定した電力を供給できるようになる（定常状態に立ち上がる）までに要する時間、すなわち起動時間を短縮することを目的とする。
また、その立ち上がりまでの期間に、出力電圧波形にサージ電圧が発生しないようにすることも目的とする。
さらに、電力帰還型の直流電源装置の利点である力率の向上と高調波の発生防止効果等を損なうことなく、電源装置の小型化及び低価格化を図ることも目的とする。
【００１６】
【課題を解決するための手段】
この発明は上記の目的を達成するため、図１に示すように、交流電源１から入力する交流を整流して直流に変換し、負荷１０に供給する整流回路２と、負荷１０の入力側に接続され、負荷１０の入力端子間の電圧が蓄積電圧以下になったときに負荷１０の入力側に電力を供給する電力蓄積回路３と、負荷１０から電力蓄積回路３に電力を帰還する電力帰還回路５と、起動時に交流電源１または整流回路２から電力蓄積回路３に電力を供給する電力供給回路４とによって、直流電源装置６を構成するものである。
【００１７】
このように構成した直流電源装置６は、交流電源１の投入による起動時には、交流電源１または整流回路２から電力蓄積回路３に電力を供給してその電力蓄積用のコンデンサを充電させるので、電力蓄積回路３を速やかに立ち上げて、短時間で負荷１０に安定した電力を供給できるようになり、サージ電圧の発生もなくなる。
【００１８】
この直流電源装置６を構成する各回路１〜５は、それぞれ図２乃至図６に示すように構成することができるが、それらについては次の発明の実施の形態の項で詳述する。
【００１９】
【発明の実施の形態】
以下、この発明の実施の形態を添付図面に基づいて具体的に説明する。
図２乃至図６は、それぞれこの発明の第１乃至第５の実施形態（それぞれ請求項２乃至６に対応する）を示す直流電源装置の回路図であり、図９及び図１０と対応する部分には同一の符号を付してある。
【００２０】
〔第１の実施形態〕
先ず、図２に示す第１の実施形態について、図１と対応させて説明する。
この直流電源装置では、交流電源１から入力する交流を全波整流するダイオードブリッジ（整流回路と同じ符号２を付す）が、図１における整流回路２を構成している。この点は以下に説明する全ての実施形態に共通である。
【００２１】
そして、そのダイオードブリッジ２の正側出力端子ａにカソードが接続された第１のダイオードＤ１と、その第１のダイオードＤ１のアノードに一端が接続され、ダイオードブリッジ２の負側出力端子ｂに他端が接続されたコンデンサ（電解コンデンサ）Ｃ１とによって、図１における電力蓄積回路３を構成している。
【００２２】
電力帰還回路５は、負荷１０からコンデンサＣ１の両端子にそれぞれ導通する電力帰還端子ｆ−ｆ′間に電力を帰還する回路であり、負荷１０との接続部の図示を省略しているが、負荷１０としては前述のように供給された電力の一部を帰還できるものであれば種々の回路を接続でき、図９に示したようなＤＣ−ＤＣコンバータと電力帰還用のチョークトランスとからなる回路を用いることができる。
【００２３】
さらに、ダイオードブリッジ２の正側出力端子ａと第１のダイオードＤ１とコンデンサＣ１との接続点ｅとの間に、正側出力端子ａから接続点ｅに電流を流す向きに接続した第２のダイオードＤ２と抵抗Ｒ１との直列回路によって、図１における電力供給回路４を構成している。この第２のダイオードＤ２と抵抗１の位置を入れ換えても差し支えない。
【００２４】
次に、図７及び図８も用いて、この図２に示した第１の実施の形態の作用について説明する。
図７は、この直流電源装置の安定状態での各部の電流または電圧の波形を示し、（ａ）は交流電源１の出力電圧波形、（ｂ）はダイオードブリッジ２の出力電圧波形、（ｃ）は負荷１０の入力電圧波形、（ｄ）は交流電源１の出力電流波形をそれぞれ示す。
【００２５】
安定状態において、負荷１０から電力帰還端子ｆ−ｆ′間に電力が帰還されて生じるコンデンサＣ１の蓄積電圧が、図７の（ｂ）および（ｃ）に示すＶ１の値であるとする。しかし、起動時においてはこの電力帰還端子ｆ−ｆ′間への電力の帰還はまだ不十分であり、コンデンサＣ１の蓄積電圧はＶ１よりはるかに小さい値である。このときに、電圧Ｖ１よりわずかに小さい値である電圧Ｖ２を、ダイオードブリッジ２から第２のダイオードＤ２と抵抗Ｒ１の直列回路を介して電力帰還端子ｆ−ｆ′間に印加することによって、短時間でそのコンデンサＣ１を充電するようにしている。
【００２６】
すなわち、交流電源１を投入したとき、負荷１０から電力帰還端子ｆ−ｆ′間には電力帰還がまだなされておらず、コンデンサＣ１は充電されていない。そして、ダイオードブリッジ２によって全波整流された出力端子ａ−ｂ間の図７の（ｂ）に示す電圧が、第２のダイオードＤ２および抵抗Ｒ１を介して電力帰還端子ｆ−ｆ′間に印加され、コンデンサＣ１を充電する。
【００２７】
このときの充電電圧の値が図７の（ｂ）及び（ｃ）に示すＶ２になるように、抵抗Ｒ１の抵抗値を予め設定する。また、第１のダイオードＤ１はコンデンサＣ１の充電を阻止する向きに接続されているので、このときダイオードブリッジ２の出力電圧により第１のダイオードＤ１を介してコンデンサＣ１が充電されることはない。
【００２８】
そして、ダイオードブリッジ２の出力電圧がピーク値を過ぎてその電圧がＶ２以下になってくると、コンデンサＣ１から第１のダイオードＤ１を介して負荷１０の入力端子に放電電流が流れる。
このことは、定常状態において負荷１０の入力端子に第１のダイオードＤ１を介して蓄積電力を供給することと同様のことであり、交流電源１の投入と同時にあたかも定常状態での電力帰還が作用しているような状態となる。それによって、電源装置の起動時間を短縮することになる。
【００２９】
そして、負荷１０が安定状態になってしまえば、コンデンサＣ１は負荷１０から電力帰還端子ｆ−ｆ′への帰還電力によって、電圧がＶ２より高い電圧Ｖ１に充電されるので、第２のダイオードＤ２を介しての充電電流は流れなくなる。したがって抵抗Ｒ１による電力の損失も生じない。
また、図７の（ｄ）に示すように、交流電源１の出力電流波形のピーク値も低く、ダイオードブリッジ２からの出力電流の力率に影響を与えることもない。
【００３０】
図８の（ａ）は、この第１の実施の形態における電源起動時の負荷１０の出力電圧波形を示し、（ｂ）は交流入力電流波形を示す。
この実験によれば、図１１に示した従来例の場合と比較して、立ち上がりまでの所要時間は０．６秒に短縮され、またその間にサージ電圧の発生はみられなかった。
【００３１】
〔第２の実施形態〕
次に、この発明の第２の実施形態を図３によって説明する。
この図３に示す実施形態において、図２に示した第１の実施形態と相違するのは、図１における電力供給回路４として、ダイオードブリッジ２の出力端子ａ，ｂ間に入力端子が接続され、出力電圧を電力蓄積回路のコンデンサＣ１の端子間（電力帰還端子はｆ−ｆ′間）に印加するシリーズレギュレータ７に代えた点のみである。
【００３２】
この実施形態によっても、前述した第１の実施形態による直流電源装置と同様に動作し、起動時にダイオードブリッジ２の出力電圧をシリーズレギュレータ７で調整した電圧Ｖ２によってコンデンサＣ１を充電することができ、起動時間を短縮することができる。そして、負荷１０が安定状態になってしまえば、コンデンサＣ１は負荷１０から電力帰還端子ｆ−ｆ′に帰還される電力によって電圧Ｖ２より高い電圧Ｖ１に充電されるので、シリーズレギュレータ７の出力電流は流れなくなり、制御トランジスタなどによる電力損失は生じない。
【００３３】
〔第３の実施形態〕
次に、この発明の第３の実施形態を図４によって説明する。
この図４に示す実施形態において、図２に示した第１の実施形態と相違するのは、図１における電力供給回路４として、第２のダイオードＤ２と抵抗Ｒ１との直列回路を、ダイオードブリッジ２の一方の入力端子ｇと第１のダイオードＤ１とコンデンサＣ１との接続点ｅとの間に、第２のダイオードＤ２を一方の入力端子ｇから接続点ｅに電流を流す向きにして接続した点のみである。
この場合も、抵抗Ｒ１と第２のダイオードＤ２との位置を入れ換えても差し支えない。
【００３４】
図２に示した第１の実施形態では、起動時にダイオードブリッジ２の出力端子ａ，ｂ間の全波整流された電圧によって、第２のダイオードＤ２と抵抗Ｒ１との直列回路を介してコンデンサＣ１を充電するものであった。
図４に示すこの第３の実施形態では、交流電源１の一方の端子とダイオードブリッジ２の一方の負側出力端子ｂとの間に得られる半波整流された電圧によって、起動時に第２のダイオードＤ２と抵抗Ｒ１の直列回路を介して蓄積回路のコンデンサＣ１を充電しようとするものである。
【００３５】
交流電源１を投入したとき、電力帰還端子ｆ−ｆ′には負荷１０による電力帰還がまだなされず、コンデンサＣ１は充電されていない。そして、交流電源１からの電圧がダイオードブリッジ２の一辺で半波整流されて、第２のダイオードＤ２と抵抗Ｒ１の直列回路を介してコンデンサＣ１を充電する。
【００３６】
このときの充電電圧の値が図７の（ｂ），（ｃ）に示したＶ２になるように、抵抗Ｒ１の抵抗値を予め設定しておく。そして、ダイオードブリッジ２からの出力電圧がその谷間にさしかかって負荷１０への供給電圧がＶ２以下になると、コンデンサＣ１から第１のダイオードＤ１を介して負荷１０の入力端子に放電電流が流れる。すなわち、蓄積電力を負荷１０に供給する。
【００３７】
そして、負荷１０が安定状態になってしまえば、コンデンサＣ１は負荷１０から電力帰還端子ｆ−ｆ′に帰還される電力によって、電圧Ｖ２より高い電圧Ｖ１に充電されるので、第２のダイオードＤ２は非導通状態になり、抵抗Ｒ１を介してコンデンサＣ１に充電電流は流れなくなり、抵抗Ｒ１による電力の損失は発生せず、ダイオードブリッジ２からの出力電流の力率に影響を与えることもない。
【００３８】
〔第４の実施形態〕
次に、この発明の第４の実施形態を図５によって説明する。
この図５に示す実施形態においては、これまでに説明した各実施形態の電力蓄積回路３に対して、その第１のダイオードＤ１とコンデンサＣ１の位置を入れ換え、それに伴って図２において電力供給回路４を構成した第２のダイオードＤ２と抵抗Ｒ１の接続位置を変更したものであり、その他の構成及び作用・効果は上述の各実施形態と同様である。
【００３９】
すなわち、この図５に示す直流電源装置では、ダイオードブリッジ２の負側出力端子ｂにアノードが接続された第１のダイオードＤ１と、その第１のダイオードＤ１のカソードに一端が接続され、ダイオードブリッジ２の正側出力端子ａに他端が接続されたコンデンサＣ１とによって図１における電力蓄積回路３を構成し、そのコンデンサＣ１の両端子にそれぞれ導通する帰還端子ｆ，ｆ′を設けている。
【００４０】
そして、第１のダイオードＤ１とコンデンサＣ１との接続点ｅ′とダイオードブリッジ２の負側出力端子ｂとの間に、接続点ｅ′から負側出力端子ｂに電流を流す向きに接続した第２のダイオードＤ２と抵抗Ｒ１との直列回路によって、図１における電力供給回路４を構成している。この第２のダイオードＤ２と抵抗Ｒ１の位置を入れ替えても差し支えない。
【００４１】
〔第５の実施形態〕
次に、この発明の第５の実施形態を図６によって説明する。
この図６に示す実施形態において、上述の第４の実施形態と相違するのは、電力供給回路４として、第２のダイオードＤ２と抵抗Ｒ１との直列回路に代えて、図３に示した第２の実施形態と同様に、ダイオードブリッジ２の出力端子ａ，ｂ間に入力端子を接続し、出力電圧をコンデンサＣ１の端子間（帰還端子ｆ−ｆ′間）に印加するシリーズレギュレータ７を設けた点のみである。
この構成によっても、前述した第２の実施形態による直流電源装置と同じ作用・効果を得ることができる。
【００４２】
なお、図２，図４，および図５に示した実施形態において、電力供給回路の抵抗Ｒ１を定電圧ダイオードまたはバリスタの抵抗とし、それによって起動時の充電電圧Ｖ２を設定するようにしてもよい。
また、図１における整流回路２は、上述した各実施形態におけるダイオードブリッジに限るものではなく、半波整流回路や倍電圧整流回路等を用いることもできる。
【００４３】
【発明の効果】
以上説明してきたように、この発明によれば、電力帰還型の直流電源装置としての入力電流の導通角及び力率の改善並びに高調波の発生を防ぐ効果に影響を与えることなく、起動時間を大幅に短縮することができ、且つその立ち上がりまでの期間中にサージ電圧が発生することもなくなる。
したがって、起動時間が短く高性能な直流電源装置の小型化及び低価格化を図ることができる。
【図面の簡単な説明】
【図１】この発明による直流電源装置の基本構成を示すブロック図である。
【図２】この発明の第１の実施形態を示す直流電源装置の回路図である。
【図３】この発明の第２の実施形態を示す直流電源装置の回路図である。
【図４】この発明の第３の実施形態を示す直流電源装置の回路図である。
【図５】この発明の第４の実施形態を示す直流電源装置の回路図である。
【図６】この発明の第５の実施形態を示す直流電源装置の回路図である。
【図７】この発明による直流電源装置の各部の電圧および電流波形を示す波形図である。
【図８】同じくその直流電源装置の起動時の負荷の出力電圧と交流入力電流の波形図である。
【図９】従来の電力帰還型の直流電源装置の一例を示す回路図である。
【図１０】同じくそれを簡略化して示す回路図である。
【図１１】同じくその直流電源装置の起動時の負荷の出力電圧と交流入力電流の波形図である。
【符号の説明】
１：交流電源    ２：整流回路，ダイオードブリッジ
３：電力蓄積回路    ４：電力供給回路
５：電力帰還回路    ６：直流電源装置
７：シリーズレギュレータ
１０：負荷        １１：チョークトランス
１２：高周波トランス
１３：スイッチングトランジスタ
１４：制御回路    Ｄ１：第１のダイオード
Ｄ２：第２のダイオード
Ｃ１：電力蓄積用のコンデンサ    Ｒ１：抵抗
ｆ，ｆ′：電力帰還端子
【図１】
0003590160.tif 000002
【図２】
0003590160.tif 000003
【図３】
0003590160.tif 000004
【図４】
0003590160.tif 000005
【図５】
0003590160.tif 000006
【図６】
0003590160.tif 000007
【図７】
0003590160.tif 000008
【図８】
0003590160.tif 000009
【図９】
0003590160.tif 000010
【図１０】
0003590160.tif 000011
【図１１】
0003590160.tif 000012